(57)【要約】本発明は包装容器用の開封装置に関する。この開封装置は、包装容器（１１）の開口部の上に配設され、包装容器（１１）の外側及び／又は内側において開口部の縁領域を完全に包囲する少なくとも一つのベース要素（１）を有する。また、開封装置は、包装容器（１１）の開口部を覆うためにベース要素（１）上に置くことが可能なカバー要素（２）を有する。該カバー要素（２）は、ベース要素（１）を包装容器（１１）上に配設した後に、カバー要素（２）をベース要素（１）に結合するための結合手段、及び所定の機能を達成するための機能手段を有する。カバー要素（２）は、ベース要素（１）への結合のために、スナップ、ディテント、クランプ、ヒンジ、又はねじによる結合手段を有するのが有利であり、また、開口部を再度閉じるための封止部（３ａ）、ベース要素（１）を保護するための保護部、又は包装容器（１１）が開封されるときに初めて非可逆的に変化させられる安全シールを機能手段として有することができる。
2004513852.tif 000002
【特許請求の範囲】
【請求項１】
開口部（２６）の領域において包装容器（１１）に固定された少なくとも一つのベース要素（１）、及び包装容器（１１）の開口部（２６）を覆うために前記ベース要素（１）に配設することが可能なカバー要素（２）を有する包装容器用の開封装置において、
前記カバー要素（２）は、ベース要素（１）を包装容器（１１）上に配設した後に、カバー要素（２）を前記ベース要素（１）に結合するための結合手段、及び所定の機能を実行するための機能手段を備えることを特徴とする包装容器用の開封装置。
【請求項２】
前記カバー要素（２）は、前記ベース要素（１）への結合のために、スナップ、ディテント、クランプ、ヒンジ及びねじのうちの少なくとも一つによる結合手段を備える請求項１に記載の包装容器用の開封装置。
【請求項３】
前記カバー要素（２）は、前記開口部（２６）を再度閉じるための封止部（３ａ）、前記ベース要素（１）を保護するための保護部、又は包装容器（１１）が最初に開封されるときに非可逆的に変化させられる保証シールを機能手段として備える請求項１又は２に記載の包装容器用の開封装置。
【請求項４】
前記ベース要素（１）は、包装容器（１１）の外側及び／又は内側において前記開口部（２６）の縁領域（９）を完全に包囲する請求項１〜３のいずれか１項に記載の包装容器用の開封装置。
【請求項５】
前記ベース要素（１）は射出成形可能なプラスチックから成り、該プラスチックは、容器材料の端部を封止するために、射出成形法により開口部の縁領域（９）の周囲に射出成形される請求項１〜４のいずれか１項に記載の包装容器用の開封装置。
【請求項６】
前記ベース要素（１）は開封要素（１ａ）を有し、該開封要素（１ａ）は、包装容器（１１）を開封するために取り外すことができるとともに、包装容器（１１）の開封前は前記ベース要素（１）に結合される請求項１〜５のいずれか１項に記載の包装容器用の開封装置。
【請求項７】
前記ベース要素（１）は、外側周縁部（１４ａ）及び内側周縁部（１４ｂ）によって開口部（２６）の縁領域（９）を完全に包囲し、
前記外側周縁部（１４ａ）及び内側周縁部（１４ｂ）は、該外側周縁部（１４ａ）及び内側周縁部（１４ｂ）に対して垂直に、開口部（２６）から突出するベース要素（１）の周縁部（２５）によって互いに結合され、
前記開封要素（１ａ）は、前記ベース要素（１）の周縁部（２５）における開口部（２６）と離れた側において前記ベース要素（１）と結合される請求項１〜６のいずれか１項に記載の包装容器用の開封装置。
【請求項８】
前記開封要素（１ａ）に結合された開封部（４）を有するとともに、
包装容器（１１）を開封するために前記開封部（４）によって前記開封要素（１ａ）を取り外すことが可能であり、
該開封要素（１ａ）は、特に、前記ベース要素（１）の周縁部（２５）において低強度部分（１９）、すなわち、設定破壊箇所を備える請求項１〜７のいずれか１項に記載の包装容器用の開封装置。
【請求項９】
前記開封部（４）は、包装容器（１１）を開封するための前記開封要素（１ａ）と結合部（１０）を介して結合され、かつ、結合ブリッジ（２１）を介して前記開封要素（１ａ）の通気サイト（２０）と結合され、前記開封要素（１ａ）を取り外す前に前記開封部（４）を操作することによって、前記結合ブリッジ（２１）が前記通気サイト（２０）を開く請求項１〜８のいずれか１項に記載の包装容器用の開封装置。
【請求項１０】
前記通気サイト（２０）は、前記開封要素（１ａ）の材料の低強度部分又は開封要素（１ａ）の薄膜として前記結合ブリッジ（２１）の領域に形成され、かつ、結合ブリッジ（２１）に結合される請求項１〜９のいずれか１項に記載の包装容器用の開封装置。
【請求項１１】
前記カバー要素（２）は、機能手段としての封止部（３ａ）及び結合手段としての基底部（３ｂ）を備え、
前記封止部（３ａ）と基底部（３ｂ）とがヒンジ状部分（８）によって連結され、
前記基底部（３ｂ）は、スナップ結合によって前記ベース要素（１）に結合可能にされ、前記ベース要素（１）の周縁部（２５）において側方突出ブリッジ（１８）と噛み合うフック状のディテント要素（１５）、及び前記ベース要素（１）の外側周縁部（１４ａ）上に支持された張出し部（１３）を備える請求項１〜１０のいずれか１項に記載の包装容器用の開封装置。
【請求項１２】
前記カバー要素（２）は、前記開口部（２６）を閉じたときに、周縁部（２５）上、及び／又は前記ベース要素（１）の側方突出ブリッジ（１８）の封止面（１２）の領域に位置する封止ブリッジ（１７）を備える請求項１〜１１のいずれか１項に記載の包装容器用の開封装置。
【請求項１３】
前記カバー要素（２）は湾曲されていてもよい封止周縁部（２３）を備え、該封止周縁部（２３）は、開口部（２６）を閉じたときに、前記ベース要素（１）の周縁部（２５）の側部、及び／又は開口部（２６）とは反対側の側方突出ブリッジ（１８）の側部に位置する請求項１〜１２のいずれか１項に記載の包装容器用の開封装置。
【請求項１４】
前記封止ブリッジ（１７）及び／又は封止周縁部（２３）はシールリップを有する請求項１２又は１３に記載の包装容器用の開封装置。
【請求項１５】
前記封止ブリッジ（１７）は前記カバー要素（２）の封止部（３ａ）に取り付けられ、前記封止周縁部（２３）は前記カバー要素（２）の基底部（３ｂ）に取り付けられる請求項１１〜１４のいずれか１項に記載の包装容器用の開封装置。
【請求項１６】
前記カバー要素（２）の封止部（３ａ）及び基底部（３ｂ）は、外側に向かって突出させて形成され、シールリップを備えた接合領域（７）によって相互に密着させられる請求項１〜１５のいずれか１項に記載の包装容器用の開封装置。
【請求項１７】
前記カバー要素（２）は、注出が可能な包装容器（１１）の内容物を注出するための注出口要素（２４）、及び前記カバー要素（２）のヒンジ状部分（８）の反対側に位置し、カバー要素（２）を開くための付加部分（１６）を機能手段として備える請求項１〜１６のいずれか１項に記載の包装容器用の開封装置。
【請求項１８】
前記カバー要素（２）、すなわち、前記封止部（３ａ）及び基底部（３ｂ）は、硬質プラスチック、例えば、ポリプロピレンから成り、前記ベース要素（１）、すなわち、開封要素（１ａ）は軟質プラスチック、例えば、ポリエチレンから成る請求項１〜１７のいずれか１項に記載の包装容器用の開封装置。
【請求項１９】
前記カバー要素（２）、すなわち、封止部（３ａ）は、交換可能であり、特に、前記ベース要素（１）、すなわち、基底部（３ｂ）から取外し可能に形成される請求項１〜１８のいずれか１項に記載の包装容器用の開封装置。
【請求項２０】
前記封止部（３ａ）は、蓋、ねじ及びバヨネットのうちの少なくとも一つを使用して封止を行う請求項１〜１９のいずれか１項に記載の包装容器用の開封装置。
【請求項２１】
前記包装容器（１１）の開口部（２６）を被覆するためにベース要素（１）に取付け可能にされた包装容器用の開封装置のカバー要素において、
前記ベース要素（１）を包装容器（１１）上に配設した後に前記カバー要素（２）を前記ベース要素（１）に結合するための結合手段と、所定の機能を実行するための機能手段とを有する請求項１〜２０のいずれか１項に記載の包装容器用の開封装置のカバー要素。
【発明の詳細な説明】
本発明は、包装容器用の開封装置に関するものであり、更に詳細には、連続材料製又は裁断材料製の液体包装容器を開封するための請求項１の上位概念に係る開封装置に関するものである。また、本発明は、その種の開封装置の請求項２１に係るカバー要素に関するものである。
【０００１】
この種の包装容器用の開封装置については、例えば、ＥＰ０６５８４８０Ａ１、ＥＰ９５９２０２２４．３等に開示されている。これらの開封装置は、特に、連続材料又は裁断材料によって製造され、例えば、孔又は孔表示の形態の開口部が形成された包装容器の開口部の領域に、少なくとも１個のベース要素が配設される。また、前記各公知の開封装置は、前記開口部を封止するために、少なくとも１個のカバー要素を備え、該カバー要素は、前記ベース要素に対して前記開口部の開閉が可能なように配設される。
【０００２】
ボール紙基材又は紙基材、熱可塑性プラスチック層、及び場合によってアルミニウム箔（はく）から成り、積層材料を構成するこの種の好ましい包装容器は、連続材料、個々のブランク材等によって製造される。この種の包装容器には開封装置として、開封時に破り取る、例えば、ストリップ状のものが多く使用される。
【０００３】
また、ＥＰ−Ａ−０５５８９４６には、ストリップの周囲に熱可塑性プラスチック製の構造物を外付けした包装容器が開示されていて、前記熱可塑性プラスチック製の構造物は、注出口要素及びカバー要素を備え、該注出口要素とカバー要素とをヒンジによって連結し、折り畳めるようにし、かつ、折り畳んだ状態で相互に噛（か）み合うように固定することができる。
【０００４】
前記ストリップは、通常、前記プラスチック製の構造物の下に配設され、シールされた部分の上にシールされていない部分を折り返した形となっている。したがって、開封に際して、ストリップを摘（つま）んで引き剥（は）がすことによって、孔又は孔表示の形態の開口部を容易に開くことができる。
【０００５】
さらに、例えば、ＤＥ４４０９９４６Ａ１及びＤＥ１９９０４８３７Ｃ１においては、連続材料、主として、紙又はプラスチック材料から成る包装容器の開口部を、フィルム状の箔又は合成樹脂製のプルタブ、すなわち、プラスチック板によって密閉することが開示されている。前記開口部の密封部を開封するには、前記箔若しくはプルタブを剥がすか、又は前記箔にストローを貫通させるかする。プルタブは、包装容器の充填（てん）時の無菌条件を満たすために、包装容器の積層材料の最内層と結合させられる。そして、開封の際には、前記最内層に切れ目を入れた後、開口部の付近のタブによってプルタブを取り除く。
【０００６】
また、ＷＯ００／４７４８０に開示された包装容器の封止部の開封装置においては、開封位置に、封止部を開封するための開封部、該開封部を操作するための操作部、及び開封装置を包装容器に確実に固定することができるように操作部を支持するための支持部が配設される。前記開封部は、開封の際に、例えば、必要に応じてあらかじめミシン目を入れた開口部を押すことによって、ヒンジ状に内部に向けて開かれる。
【０００７】
しかしながら、前記従来の各開封装置においては、いずれも、包装容器の開口部の領域の表面に、熱可塑性プラスチック製の構造物がホットメルト接着剤によって固定されるようになっている。このような開封装置においては、前記熱可塑性プラスチック製の構造物を接着する際に、高価な位置決め装置を必要とする。また、包装容器を輸送している間に構造物が脱落してしまう可能性がある。
【０００８】
そして、前記包装容器の開口部の素材の縁部は、包装容器の外周面に配設された熱可塑性プラスチック製の構造物によっては封止されないので、包装容器の内容物を注出する際に開口部の周辺の素材が濡れて軟化してしまう。また、このような開封装置を、包装容器の形成及び充填に先立って、確実に消毒したり滅菌したりすることは困難である。
【０００９】
また、開口部を封止しているストリップを摘んだり、引き剥がしたり、貫通させたりするのが困難であり、例えば、封止されていない非折り返し部分が、製造工程中や充填機の操作中に封止部分に密着することによって、ストリップが摘めなくなったり、熱可塑性プラスチック製の構造物が位置決めのエラーによって剥離すべきストリップに接着されてしまったりする。
【００１０】
公知の開封装置においては、更に、ストリップの一部が注出口内に残り、内容物を円滑に注ぎ出すことが困難になることがある。
【００１１】
また、ＪＰ０９２５４９６７には、基底部を包装容器の内面の開口部の付近に接着した開封装置が開示されている。
【００１２】
本発明は、前記従来の開封装置の問題点を解決して、製造するためのコストを低くすることができ、かつ、製造及び流通に問題を生じない程度に寸法が小さく、各種の包装容器及び開口部の形状に適合することができる包装容器用の開封装置を提供することを目的とする。
【００１３】
そのために、本発明の包装容器用の開封装置においては、請求項１の特徴をもってこの目的を達成するものである。
【００１４】
好ましい実施の形態を、従属の請求項に示し詳細に説明する。本発明に係る包装容器用の開封装置のためのカバー要素を請求項２１に示す。
【００１５】
本発明の包装容器用の開封装置においては、特に、紙製又はボール紙製の基材に熱可塑性プラスチック層を被覆し、場合によっては、更にアルミニウム箔を被覆して成る積層材料（多くは連続的材料から製造されるが、裁断材料によって製造することもできる。）であって、少なくとも一つのベース要素を包装容器の開口部に配設することによって形成される。該開口部は前記連続材料又は裁断材料に、例えば、打抜きによってあらかじめ形成される。
【００１６】
そして、前記開口部を封止又は被覆するために、前記ベース要素にカバー要素を配設することによって開口部を被覆又は封止する。本発明によれば、前記カバー要素は二つの機能を有する。すなわち、ベース要素を包装容器に配設した後にカバー要素をベース要素に結合するための結合手段を一つの機能として、所定の機能を実行するための機能手段を他の機能として有する。特に、前記カバー要素は、ベース要素に結合するため、スナップ、ディテント（抜け止め）、クランプ、ヒンジ及びねじのうちの少なくとも一つを使用する結合手段を有する。
【００１７】
前記カバー要素は、スナップ、ディテント、クランプ、ヒンジ及びねじのうちの少なくとも一つを使用する結合手段によって、ベース要素と結合可能な基底部を有することが好ましい。また、前記カバー要素は、機能手段として、例えば、スナップ、ディテント、クランプ、ヒンジ及びねじのうちの少なくとも一つを使用することによってカバー要素の基底部に結合可能な、包装容器を封止する封止部を有することが好ましい。
【００１８】
前記カバー要素は、別々に製造して取り付けることが可能で、用途に応じて種々の形態及び種々の機能を有する。前記ベース要素を有する包装容器は、充填を終了し、折り曲げ、直ちにパッキング又は流通に移行することができるように製造されるが、カバー要素の取付けは、製造の第二段階で最初に行うことが有利である。
【００１９】
前記カバー要素は、機能手段として開口部を再び封止するための封止部、包装容器の輸送中において前記ベース要素を保護するための保護部、包装容器の最初の開封時に非可逆的に変化し、又は破壊されることによって、第三者が以前に開封したかどうかを明示する保証シール等を備える。また、その他の機能、例えば、消費者向けの情報が記載された紙を封止部の下に取り付けたり、ステッカーを貼（は）り付けたり、子供向けの図柄を採用したりすることができ、更に、前記各種機能を組み合わせることもできる。
【００２０】
本発明の開封装置におけるベース要素は、包装容器の開口部の封止に用いられる従来のストリップ、膜等に代えて、開封時に取外し可能であり、かつ、包装容器の開封前にはベース要素と結合される開封要素を有することが好ましい。好ましくは、ベース要素と開封要素とを共通の熱可塑性の構造物によって形成するか、又は射出成形し、ベース要素と開封要素との分離は、包装容器を最初に開封するときに開封要素をベース要素から取り外すことによって行うようにする。
【００２１】
本発明の好ましい実施の形態において、前記ベース要素は、包装容器の開口部の縁領域に、包装容器の外側及び／又は内側（外側及び内側の少なくとも一方）において開口部の縁領域を完全に包囲するように固定され、開口部の包装材料の縁部が特に包装容器の内面においてシールされるように固定される。
【００２２】
包装容器の積層材の縁部を完全に包囲する好ましい構成によって、例えば、包装容器内の液体の積層材への進入、それに伴う開口部の縁領域の濡れ、軟化等を防ぐことができる。同時に、本発明の開封装置におけるベース要素は、確実に包装容器に固定され、包装容器の成形、折曲げ及び充填の間、さらには輸送中、最終消費者による開封時等において、開封装置が剥がれるのを避けることができる。
【００２３】
ベース要素は、例えば、射出成形が可能なプラスチックから成り、開口部の縁領域にプラスチック材料を射出して、容器材料の縁部をシールすることができる。このいわゆるＤＩＭ（直接射出成形）法によれば、ベース要素を迅速に、かつ、製造するためのコストを低くすることができ、また、包装容器の開口部の縁領域に移動不可能なように強固に射出成形することが可能である。更に好ましくは、ベース要素を、開封要素、又は場合によっては、ベース要素の部品とともに一つの工程で製造することができる。
【００２４】
本発明の開封装置においては、さらに、別々に製造すること可能なカバー要素を有する。前記ベース要素とカバー要素とを分離させることによって、開封装置の機能が分離させられる。したがって、ベース要素とカバー要素とに、それぞれの目的に特に適合する別々の材料を使用することが可能になる。
【００２５】
本発明の好ましい実施の形態において、前記カバー要素は、例えば、一体的に形成され、スナップ、ディテント、クランプ、ヒンジ及びねじのうちの少なくとも一つを使用してベース要素と結合される。また、更なる好ましい実施の形態において、前記カバー要素は封止部及び基底部の二つの部分から成り、該基底部はスナップ、ディテント、クランプ及びねじのうちの少なくとも一つを使用してベース要素と結合することができ、蓋（ふた）、ねじ及びバヨネットのうちの少なくとも一つに形成された封止部を開閉することができる。また、実施の形態によっては、封止部もスナップ、ディテント、クランプ、ヒンジ及びねじのうちの少なくとも一つを使用して前記基底部に結合することができる。
【００２６】
以上のように本発明は、交換可能な、すなわち、ベース要素若しくは特にベース要素の基底部から取外し可能なカバー要素、又は該カバー要素の封止部を好ましい形で提供する。これによって、同様なベース要素を有しつつも、包装の形態や消費者による使用方法に応じて異なったカバー要素を形成することができる。また、標準化された結合方法によって、それらを同一のベース要素に結合することが可能な開封装置を製造することができる。さらに、包装容器は、ベース要素によって封止又はシールされ、ベース要素の開封要素によって最初に開封することができる。その後、包装容器を再度封止するためには、適用形態によって、ねじによる結合、バヨネットによる結合、開き蓋として形成されたカバー要素等を使用することができる。
【００２７】
前記カバー要素を二分することによって、使用されるベース要素に従って、該ベース要素に固定可能な標準化された基底部を結合手段として作成することができる一方、機能手段の形成、成形、彩色等は多様に実現することが可能である。
【００２８】
本発明の他の実施の形態において、封止部を、ねじ、ヒンジ等によって、ベース要素に配設されたねじ山、ヒンジホルダ等の対応部分に直接結合することができる場合には、基底部を使用する必要はない。
【００２９】
本発明の好ましい実施の形態によれば、開封要素は該開封要素に結合された開封部を有し、包装容器の開封時には、前記開封要素を前記開封部によって包装容器から取り外すことができる。前記開封要素は、特に、ベース要素との結合部分において低強度部分、すなわち、設定破壊箇所を備える。前記開封部をプルタブとして使用し、例えば、膜として形成された開封要素を引き剥がしたり破ったりすることができる。
【００３０】
前記開封部は、さらに、開封要素の通気サイトに結合ブリッジで結合され、開封部を操作した後、かつ、開封要素を取り除く前に、前記結合ブリッジが通気サイトを開くようにすることが好ましい。前記通気サイトを開くことによって、包装容器の開口部の開封そのものに先立って空気が包装容器内に進入するので、包装容器の内容物のレベルが低下し、開封要素を開いたときに内容物が散乱したり飛散したりする好ましくない現象を防ぐことができる。前記通気サイトは、例えば、開封要素の低強度の材料又は薄膜であり、前記結合ブリッジの付近で結合ブリッジと結合され、開封部を操作すると薄膜又はこの部分で低強度である開封要素材料が破られ、空気が包装容器に進入するようになる。
【００３１】
前記カバー要素をベース要素に配設する際には、カバー要素を封止するための種々の手段が、また、カバー要素を二分して形成する場合には、カバー要素の基底部を封止するための種々の手段が設けられる。ねじ結合の場合、封止要素は、例えば、円筒の内側にねじを切ったカバー要素の下端に形成されたシールリップであり、該シールリップにおいて、カバー要素をベース要素上で回転させると、開口部の縁領域を包囲するベース要素の基部の表面に突き当たって開口部を封止する。カバー要素を蓋として使用する場合には、該蓋にも同様にベース要素の方向に突出するブリッジ、又は周縁の封止手段を設け、蓋をこれに対応するベース要素の面又は部分にはめ込むことによって、開口部を封止する。
【００３２】
前記カバー要素又はカバー要素の基底部には、さらに、別の機能手段として注口要素が配設され、好ましくは、開口部が位置する包装容器の周縁部から注出することが可能な内容物を注出するようにすることが望ましい。また、カバー要素には、この側にカバー要素を摘んで開くことができるように追加部分を形成することができる。
【００３３】
前記カバー要素、すなわち、前記封止部及び基底部は、ポリプロピレン等の硬質プラスチックから成り、前記ベース要素、すなわち、前記開封要素は、軟質のプラスチック、場合によっては射出成形可能なプラスチック、例えば、ポリエチレンから成ることが好ましい。
【００３４】
以下、本発明の実施の形態について図面を参照しながら詳細に説明する。
【００３５】
図１は本発明の実施の形態における包装容器用の開封装置の三次元的断面図である。
【００３６】
図において、開封装置は、包装容器１１の開口部に固定されたベース要素１を有する。該ベース要素１は、開口部２６を封止するための、二つの部分から成るカバー要素２と結合されている。
【００３７】
前記ベース要素１は、包装容器１１を開封するために取外し可能にされ、かつ、ベース要素１に結合される開封要素１ａを有する。ベース要素１は、外側周縁部１４ａ及び内側周縁部１４ｂによって包装容器１１の開口部２６の縁領域９を包囲する。これによって、包装容器１１の縁領域９の材料縁領域は、完全に包囲される。また、図２に示されるように、前記外側周縁部１４ａ及び内側周縁部１４ｂは、該外側周縁部１４ａ及び内側周縁部１４ｂに対して垂直に、開口部２６から突出するベース要素１の周縁部２５に結合される。該周縁部２５は、外側周縁部１４ａより上方に延在させられ、開封要素１ａは、周縁部２５の開口部２６から離れた側においてベース要素１と結合される。
【００３８】
図２は本発明の実施の形態における図１に示される開封装置の断面図である。
【００３９】
図に示されるように、開封要素１ａは、上面に密着することなく延在させられたプルタブの形状を有する開封部４を備え、該開封部４は開封要素１ａに結合される。開封要素１ａは開封部４によって、包装容器１１を開封するために取り外すことができ、特に、ベース要素１の周縁部２５に低強度部分１９、すなわち、設定破断部を備える。開封部４は、結合部１０を介して包装容器１１を開封するための開封要素１ａと、また、結合ブリッジ２１を介して開封要素１ａの通気サイト２０と結合され、開封要素１ａを取り外す前に、前記開封部４を操作すると、結合ブリッジ２１が通気サイト２０を開く。
【００４０】
該通気サイト２０は、材料の低強度部分又は開封要素１ａ中の薄膜として結合ブリッジ２１の領域に形成することができる。該領域は、開封部４を持ち上げる等の操作を行った際に、通気サイト２０が開いて空気が包装容器１１内に進入し、それによって内容物のレベルが低下し、開封要素１ａを開いた場合、特に、開封時に包装容器１１に力を加えた場合に、内容物が飛散する好ましくない現象を避けることができるように、結合ブリッジ２１と結合される。
【００４１】
図１及び２に示される本発明の好ましい実施の形態において、カバー要素２は、二つの部分から成る。前記カバー要素２は、封止部３ａ及び基底部３ｂを備える。前記封止部３ａと基底部３ｂとはヒンジ状部分８によって連結され、付加部分１６によって封止部３ａが持ち上げられる（図３及び６参照）。前記基底部３ｂは、スナップ結合で前記ベース要素１と結合され、周囲を囲む縁部としてフック状のディテント要素１５を備え、該ディテント要素１５は、ベース要素１の周縁部２５から横方向へ突出する側方突出ブリッジ１８の下方で噛み合う。また、ディテント要素１５は、必要に応じて、基底部３ｂにおけるベース要素１と対向する側に、ベース要素１の外側周縁部１４ａ上に支持された張出し部１３を備える。
【００４２】
カバー要素２は、該カバー要素２から、すなわち、封止部３ａから開口部２６に向かって下方に突出させられた封止ブリッジ１７を備え、前記開口部２６を閉じると、封止ブリッジ１７が周縁部２５上に、及び／又は封止面１２の領域においてベース要素１の側方突出ブリッジ１８上に位置するようになる。図１に示される前記封止面１２は、周縁部２５又は側方突出ブリッジ１８の上部、かつ、開封要素１ａの低強度部分１９の外側に位置し、開封要素１ａを取り外した後に包装容器１１の開口部２６が確実に封止される。
【００４３】
カバー要素２、すなわち、基底部３ｂは、前記ディテント要素１５の方向で開口部２６と反対側に、上方に向けて、かつ、必要に応じて湾曲させられた封止周縁部２３を有することが好ましい。該封止周縁部２３は、カバー要素２、すなわち、封止部３ａをはめ込んで開口部２６を閉じたときに、周縁部２５及び／又はベース要素１の側方突出ブリッジ１８の開口部２６とは反対側に位置する。封止ブリッジ１７及び／又は封止周縁部２３は、更に包装容器１１を封止するためのシールリップを備えることが望ましい。
【００４４】
前記ベース要素１が一体的に形成されるので、包装容器１１の内面の滅菌は問題なく可能であるが、前記開封要素１ａを取り外した後、開口部２６を封止面１２の領域で封止する封止ブリッジ１７の領域には、わずかな量の内容物しか残留しない。したがって、例えば、包装容器１１内に存在する液体が、前記カバー要素２のディテント要素１５の内部又は下部に進入するのが防止される。封止ブリッジ１７は、カバー要素２の封止部３ａに、封止周縁部２３は、カバー要素２の基底部３ｂに位置することが好ましい。
【００４５】
また、カバー要素２の封止部３ａと基底部３ｂとの間に、両部を相互に密着させるために、外側に向かって封止手段を形成することができ、場合によっては、シールリップを備えた接合領域７の形態で封止手段を形成することができる。前記接合領域７は、ベース要素１の上端、すなわち、開口部２６から離れた端部において、封止周縁部２３に対して垂直に、かつ、ベース要素１の外側周縁部１４ａに対して平行に形成される。
【００４６】
図３は本発明の実施の形態における開封装置の封止部３ａが開封された状態の三次元的断面図である。
【００４７】
図において、ヒンジ状部分８に連続した接合領域７、カバー要素２の基底部３ｂの接合領域７と連続させて形成され、包装容器１１の内容物を注出するための注出口要素２４、及び封止部３ａのヒンジ状部分８の反対側に位置し、カバー要素２を開くための付加部分１６が示される。
【００４８】
図３には、更に低強度部分１９が示され、該低強度部分１９によって、開封要素１ａを開封部４により容易に分離させることができる。前記開封要素１ａは、ベース要素１の周縁部２５に沿って分離させられ、続いて、低強度部分１９に沿って円形状又は螺（ら）旋状に分離させられることが好ましい。そこで、低強度部分１９は、前記ベース要素１の周縁部２５だけでなく、開封要素１ａ上又は該開封要素１ａの内側にも形成され、わずかな力によって円形状又は螺旋状に分離させることができる。
【００４９】
図４は本発明の実施の形態における開封装置の開封要素１ａを取り外した状態の三次元的断面図である。
【００５０】
この場合、閉じられた封止部３ａは、封止ブリッジ１７と共にベース要素１の周縁部２５又は側方突出ブリッジ１８上に位置する。注出口要素２４は、付加部分１６によって包囲されるか、又は被覆されるかするので、カバー要素２の美観を、そして、本発明による開封装置の美観を良くすることができる。
【００５１】
図５は本発明の実施の形態における矩（く）形のベース要素１、その外側周縁部１４ａ、開封部４及び円形状又は螺旋状に形成された低強度部分１９の俯瞰（ふかん）図である。
【００５２】
図５には、カバー要素２を取り付けるための、ベース要素１を矩形状に取り巻く周縁部２５の側方突出ブリッジ１８が示される。包装容器１１は、ベース要素１が固定された後、図５に示されるように密閉される。前記ベース要素１上には種々の形態や形状のカバー要素２を配設することができ、例えば、側方突出ブリッジ１８によって対応するカバー要素２との噛（かみ）合いが可能になる。
【００５３】
図６は本発明の実施の形態におけるカバー要素の好ましい形状を示す図である。
【００５４】
この場合、カバー要素２は封止部３ａ及び基底部３ｂの両部分から成る。封止部３ａと基底部３ｂとはヒンジ状部分８によって相互に連結され、前記基底部３ｂは、ベース要素１と噛み合わせるための、周囲内側に突出させて形成された縁部としてのディテント要素１５を備える。
【００５５】
本発明の開封装置においては、ベース要素１を取り付けるためのホットメルト接着剤は不要になる。また、カバー要素２は、簡単なアプリケータによってベース要素１上に「取り付ける」ことができるので、包装容器１１を極めて容易に製造することができる。カバー要素２の位置決めもスナップ結合によって容易に行われる。
【００５６】
開封要素１ａの設定破断部、すなわち、低強度部分１９によって、開封装置を開くための力は極めて小さくなり、包装容器１１にはほとんど力がかからないので、開封時の内容物の飛散を避けることができる。また、本発明の開封装置においては、ベース要素１の底面のほぼ全体を注出口にすることができるので、ベース要素１及びカバー要素２の幾何学的な寸法に対する開口部２６の実効面積の比率を大きくすることができる。開封装置の全高は、わずかに３．５〜７．５〔ｍｍ〕（図に示される実施の形態においては約５．８〔ｍｍ〕）にすることができるので、製造、輸送、流通等に適した包装容器１１を容易に製造することができる。
【００５７】
機能的、技術的及びマーケティング戦略的な観点から、ベース要素１とカバー要素２とに分割されるので、開封方法としてのベース要素１は、例えば、技術的な理由から決定されるデザインによって平坦（たん）で単純な形状に形成することができ、その結果、ＤＩＭ法に適した射出成形を容易に行うことができる幾何学的形状とすることができる。
【００５８】
一方、カバー要素２は、一層複雑な、美的な理由から決定される幾何学的な形状又はデザインを有することができ、種々のねじ、スナップ、はめ込み、バヨネット等の方式による封止が可能であり、また、各種の彩色も可能である。したがって、同一のベース要素を各種の用途に応じたカバー要素と共に使用することができる。
【図面の簡単な説明】
【図１】
本発明における開封装置の三次元的断面図である。
【図２】
図１に示された本発明における開封装置の断面図である。
【図３】
開封された状態の同開封装置の三次元的断面図である。
【図４】
初めて開封され開封要素が取り外された後の同開封装置の三次元的断面図である。
【図５】
包装容器上に配置されたベース要素の三次元的俯瞰図である。
【図６】
好ましいカバー要素の三次元的図である。
【符号の説明】
１　　ベース要素
１ａ　　開封要素
２　　カバー要素
４　　開封部
７　　接合領域
８　　ヒンジ状部分
９　　縁領域
１０　　結合部
１１　　包装容器
１２　　封止面
１３　　張出し部
１５　　ディテント要素
１６　　付加部分
１７　　封止ブリッジ
１８　　側方突出ブリッジ
１９　　低強度部分
２０　　通気サイト
２１　　結合ブリッジ
２３　　封止周縁部
２４　　注出口要素
２５　　周縁部
２６　　開口部
３ａ　　封止部
３ｂ　　基底部
１４ａ　　外側周縁部
１４ｂ　　内側周縁部
【国際公開パンフレット】
2004513852.tif 000003
2004513852.tif 000004
2004513852.tif 000005
2004513852.tif 000006
2004513852.tif 000007
2004513852.tif 000008
2004513852.tif 000009
2004513852.tif 000010
2004513852.tif 000011
2004513852.tif 000012
2004513852.tif 000013
2004513852.tif 000014
2004513852.tif 000015
2004513852.tif 000016
2004513852.tif 000017
2004513852.tif 000018
2004513852.tif 000019
2004513852.tif 000020
2004513852.tif 000021
2004513852.tif 000022
2004513852.tif 000023
2004513852.tif 000024
2004513852.tif 000025
2004513852.tif 000026
2004513852.tif 000027
2004513852.tif 000028
2004513852.tif 000029
2004513852.tif 000030
2004513852.tif 000031
【国際調査報告】
2004513852.tif 000032
2004513852.tif 000033
2004513852.tif 000034
2004513852.tif 000035
2004513852.tif 000036
2004513852.tif 000037
2004513852.tif 000038
2004513852.tif 000039